(57)【要約】【課題】老人が杖を持って行動している時、靴を履いたり脱いだりするには、かがんだり立ったりしなければならない。これは近くに適当なる靴篦がないことによる。【解決手段】杖２に靴篦取付け機構１００を設け、これに靴篦４を取付ける。靴篦取付け機構１００はバンド５、それに付いているボス１０，軸７から構成されていて、靴篦４の端部は前記軸７に回転自在に取付けられる。靴３を履く時は、この靴篦４を用いて行えば、かがむことなく靴３を履くことが可能となる。【選択図】図１
2004215970.tif 000002
【特許請求の範囲】
【請求項１】
杖に靴篦を靴篦取付け機構を介して取付けたことを特徴とする靴篦付き杖。
【請求項２】
前記靴篦取付け機構部に、靴篦の位置を任意の位置に止める機構を具備して成る請求項１に記載の靴篦付き杖。
【請求項３】
前記靴篦取付け機構部に、少なくとも靴篦の先端の位置が、靴篦取付け機構部の軸を中心として、それより上部とそれより下部の位置になるような機構を具備したことを特徴とする請求項１に記載の靴篦付き杖。
【請求項４】
杖に靴篦を靴篦取付け機構を介して取付けるとともに靴篦の先端の位置を、靴篦取付け機構の軸を中心としてそれより上部の位置に止めるため、靴篦取付け機構の上部の杖の部分に、靴篦止め具を設けたことを特徴とする靴篦付き杖。
【発明の詳細な説明】
【０００１】
【発明の属する技術分野】
本発明は老人用の杖と靴篦に関するものである。
【０００２】
【従来の技術】
本発明に近い公知例としては実用新案登録願番号第３０４８４１８号なるものがある。
【０００３】
【発明が解決しょうとする課題】
老人は杖を持って歩行しているが、立ったり、かがんだりすることは容易でない行動である。特に靴を履いたり、脱いだりする際にはかがんだり、立ったりする。これは靴篦がそばに無いことが多いことによる。靴篦があったとしても近くに無かったり、自分に合う長さのものが無いので難儀な作業となっていた。
【０００４】
【課題を解決するための手段】
杖の一部に靴篦取付け機構を設け、これに靴篦を取付け、靴篦を動かすことができるようにする。必要に応じて靴篦は靴篦取付け機構を中心として１８０度回転可能とする。すなわち靴を履くときは靴篦取付け機構部から靴篦は下方部に吊り下がった状態にして、この靴篦を靴のかかと部を持ち込んで足を入れて靴を履く。その後靴篦を１８０度回転して上方部に移動し、ここで止めることができるようにする。これにより靴篦の付いた杖を自由に移動して歩行に利用し易くする。
【０００５】
【発明の実施の形態】
図１は本発明の靴篦付き杖の一実施例の構成図である。杖１の一部に靴篦取付け機構１００が設けてある。この靴篦取付け機構１００はバンド５，それに付いているボス１０，ボス１０に設けてある軸７から成っている。この軸７に靴篦４の端部が付いていて、軸７を中心として靴篦４は動かせるようになっている。この図１では靴篦４は下方部に吊り下げられている状態になっている。靴３のかかと部３−ａを靴篦４と杖２との間に入れると足を靴３の中に挿入することが可能となる。すなわちこの靴３を履く操作において、かがむという動作は避けることができる。靴３を履いた後は靴篦４を靴３からはずして杖２をそのまま歩行に利用することができる。この杖２の上部には必要に応じて柄１，杖２の下部には滑り止め６が付いているが、本発明の必須構成要件ではない。
【０００６】
図２は本発明の杖２に付いている靴篦取付け機構１００の一実施例の構成図である。これはボス１０の外周りに複数個のストッパー１０−ａを設けるとともに、靴篦４側に凹部４−ａを設け、その中にバネ１４とボール１５を設けたものである。このようにすると靴篦４を回転しながら任意の位置に止めることができる。
【０００７】
図３は図２の変形実施例の構成図（上面図）であり、図４は図３のＡ−Ａ’断面図である。これはバンド５に付いているボス１０内にバネ１４とボール１５を設け、それに対応した靴篦４側のボス１６部の内側にボール１５を止めることのできる、複数個の穴１５−ａを設けたものである。このような方法によっても、靴篦４を回転しながら、任意の位置に靴篦４を止めることが可能となる。
【０００８】
図５は図２または図４の実施例の靴篦４を回転しながら任意の位置に止めた状態を示したものである。
【０００９】
図６は図２の変形実施例の構成図（上面図）である。これはボス１６とボス１０を貫通する軸１７の一端にネジを設けて靴篦４側の雌ネジ１９内にはめ込み、他端にロックつまみ１８を設けたものである。靴篦４を任意の位置まで回転し、そこでロックつまみ１８を回して雌ネジ１９部を締めることにより、靴篦４を固定することが可能となる。
【００１０】
図７は本発明の杖の靴篦取付け機構の他の実施例の拡大構成図である。杖２に付いているバンド５にボス１０が設けてあるが、このボス１０に凹部１０−ｂを作り、この凹部１０−ｂ内にバネ１４を装着し、この先端にボール１５を設けておく。一方靴篦４の上端部のボス１６と前記ボス１０は軸７によって連結されている。靴篦４のボス１６の外面は２つの平面１６−ａ，１６−ｂと１つの曲面１６−ｃとによって構成されている。曲面１６−ｃとボール１５が接している場合は、曲面１６−ｃがボール１５上を転がり易く不安定であるが、平面１６−ａとボール１５，平面１６−ｂとボール１５とが接触すると平面１６−ａあるいは１６−ｂ面はボール１５上を転がりにくく安定になる。このためボール１５に対して平面１６−ａが接するように、靴篦４を上方向に移動した場合は、靴篦４を上方向に安定的に定置させることができる。一方ボール１５に対して平面１６−ｂが接するように、靴篦４を下方向へ移動した場合は、靴篦４を下方向に安定させることができる。これによって靴３を履くことを容易とする。
【００１１】
図８は図７の実施例の靴篦４を上方向に移動して格納した状態を示した図である。
【００１２】
図９，図１０は図７の変形実施例の拡大構成図である。これは靴篦４のボス１６部に凹部１６−ａを設け、この内部にバネ１４を装着し、その先端部にボール１５を設けたものである。一方バンド５に付いているボス１０の外面は、２つの平面１０−ａ，１０−ｂと一つの曲面１０−ｃとによって構成されている。靴篦４を上方向に回転してボール１５がボス１０の平面１０−ｂに面した時には靴篦４は上方向の位置で安定する。図１０は靴篦４を上方向に安定して定値させた状態を示している。一方靴篦４を下方向に回転してボール１５をボス１０の平面１０−ａに面するように位置すると、靴篦４は下方向の位置で安定する。
【００１３】
図１１は本発明の靴篦付き杖の他の実施例の構成図である。図１の実施例において、バンド５に付いているボス１０と靴篦４の端部の回転部分との摺動面がよく密着させた設計にしておくと靴篦４は、杖２を歩行具として利用している時に動揺することはない。しかし何回か靴篦４を動かして利用していると摺動面に隙間が生じ歩行具として利用している時、靴篦４は動揺して邪魔になる。このような事態を無くするため、図１１の実施例ではバンド５の上部の杖２部にバンド８を設け、これに板バネ９を取付けた靴篦止め具２００を設けて、この板バネ９部に靴篦４の先端を図示のように止める。
【００１４】
図１２は図１１のバンド８と板バネ９で構成されたスプリング式の止め具２００の拡大構成図である。板バネ９は靴篦４の先端の出し入れを容易にするため図示のように湾曲していると便利である。
【００１５】
図１３は図１１の変形実施例の構成図である。これは止め具２００として、釘１１−ａを杖２に打ち込み、その先端を靴篦４側に突出して止めピン１１としたものである。
【００１６】
図１４は図１３の実施例に用いる靴篦４の構造を示したものであり、靴篦４の上部に穴１２が設けてある。靴篦４を杖２の上部に格納する時は靴篦４の穴１２を前記止めピン１１に引っかける。止めピン１１の位置を穴１２より若干上部に配設しておくと止めピン１１を下方向に曲げながら穴１２に挿入できる。このようにすると止めピン１１のバネ力が生じ穴１２は止めピン１１にしっかりと固定できる。
【００１７】
図１５は図１３の変形実施例の構成図である。これは釘１１−ａの代わりにバンド８を設け、これに図示のようなテーパーの付いたホック１３を設けたものである。このようにすると靴篦４の穴１２をホック１３にしっかりと止めることができる。
【００１８】
【発明の効果】
以上説明したように本発明によれば、杖に靴篦を取付けて同時に持ち運べるようにでき、靴の履くこと脱ぐことの動作において、かがんだり、立ったりする動作をすることがなくなり実用に供して便利となった。
【００１９】
【図面の簡単な説明】
【図１】本発明の靴篦付き杖の一実施例の構成図
【図２】本発明の靴篦付き杖の靴篦取付け機構の一実施例の構成図
【図３】図２の変形実施例の構成図
【図４】図３のＡ−Ａ’断面図
【図５】図２または図４の実施例の靴篦を任意の位置に止めた状態を示す図
【図６】図２の変形実施例の構成図（上面図）
【図７】本発明の他の靴篦付き杖の靴篦取付け機構の実施例の拡大構成図
【図８】図７の実施例の靴篦付き杖の靴篦を上方向に移動して格納した状態を示す図
【図９】図７の変形実施例の拡大構成図
【図１０】図９の実施例の靴篦付き杖の靴篦を上方向に移動して格納した状態を示す図
【図１１】本発明の他の実施例の構成図
【図１２】図１１のスプリング式の止め具の拡大構成図
【図１３】図１１の変形実施例の構成図
【図１４】図１３の実施例の靴篦の構成図
【図１５】図１３の変形実施例の構成図
【符号の説明】
１・・・・・柄
２・・・・・杖
３・・・・・靴
３―ａ・・・かかと部
４・・・・・靴篦
４―ａ・・・凹部
５・・・・・バンド
６・・・・・滑り止め
７・・・・・軸
８・・・・・バンド
９・・・・・板バネ
１０・・・・ボス
１０−ａ・・ストッパー
１０―ｂ・・凹部
１１・・・・止めピン
１１−ａ・・釘
１２・・・・穴
１３・・・・ホック
１４・・・・スプリング
１５・・・・ボール
１６・・・・ボス
１６―ａ・・凹部
１７・・・・ネジ付き回転軸
１８・・・・ロックつまみ
１９・・・・雌ネジ
１００・・・靴篦取付け機構
２００・・・靴篦止め具
【図１】
2004215970.tif 000003
【図２】
2004215970.tif 000004
【図３】
2004215970.tif 000005
【図４】
2004215970.tif 000006
【図５】
2004215970.tif 000007
【図６】
2004215970.tif 000008
【図７】
2004215970.tif 000009
【図８】
2004215970.tif 000010
【図９】
2004215970.tif 000011
【図１０】
2004215970.tif 000012
【図１１】
2004215970.tif 000013
【図１２】
2004215970.tif 000014
【図１３】
2004215970.tif 000015
【図１４】
2004215970.tif 000016
【図１５】
2004215970.tif 000017